(57)【特許請求の範囲】
【請求項１】
第一ガラスと該第一ガラスよりも防火性能が高い第二ガラスとを有する複層ガラスと、縦框と、上框と、下框と、を有し、
前記縦框は、前記複層ガラスの周縁部を収容する縦框ガラス収容溝を備え、
前記縦框ガラス収容溝内に、不燃性または難燃性の縦框補強部材が設けられ、
前記上框は、前記複層ガラスの周縁部を収容する上框ガラス収容溝を備え、
前記上框ガラス収容溝内に、不燃性または難燃性の上框補強部材が設けられている建具であって、
前記上框補強部材は、
前記複層ガラスの上端より上方に位置する上方面を有し、かつ、
前記上方面から連続し前記複層ガラスの上下方向に沿う面に対向する対向面として、前記第二ガラスに対向する対向面を有する一方で、前記第一ガラスに対向する対向面を有さず、
前記縦框補強部材は、
前記複層ガラスの側端より側方に位置する側方面を有し、かつ、
前記側方面から連続し前記複層ガラスの左右方向に沿う面に対向する対向面として、前記第二ガラスに対向する対向面と、前記第一ガラスに対向する対向面と、
を有し、
前記下框は、前記複層ガラスの周縁部を収容する下框ガラス収容溝を備え、
前記下框ガラス収容溝内に、不燃性または難燃性の下框補強部材が設けられ、
前記下框補強部材は、
前記複層ガラスの下端より下方に位置する下方面を有し、かつ、
前記下方面から連続し前記複層ガラスの上下方向に沿う面に対向する対向面として、前記第二ガラスに対向する対向面と、前記第一ガラスに対向する対向面と、を有することを特徴とする建具。
【請求項２】
請求項１に記載の建具であって、
下框を有し、
前記下框は、前記複層ガラスの周縁部を収容する下框ガラス収容溝を備え、
前記下框ガラス収容溝内に、不燃性または難燃性の下框補強部材が設けられ、
前記下框補強部材は、
前記複層ガラスの下端より下方に位置する下方面を有し、かつ、
前記下方面から連続し前記複層ガラスの上下方向に沿う面に対向する対向面として、前記第二ガラスに対向する対向面を有する一方で、前記第一ガラスに対向する対向面を有さないことを特徴とする建具。
【請求項３】
請求項２に記載の建具であって、
前記縦框、前記上框、及び、前記下框は、樹脂製の部材、又は、室外側に配置されたアルミニウム製の部材と室内側に配置された樹脂製の部材とからなるアルミ樹脂複合の部材、であることを特徴とする建具。
【請求項４】
請求項１に記載の建具であって、
前記縦框ガラス収容溝内における前記縦框補強部材の内側と、前記上框ガラス収容溝内における前記上框補強部材の内側と、には、加熱発泡材が設けられていることを特徴とする建具。
【発明の詳細な説明】
【技術分野】
【０００１】
本発明は、建具に関する。
【背景技術】
【０００２】
Ｌｏｗ−Ｅガラス等の第一ガラスと該第一ガラスよりも防火性能が高い網入りガラス等の第二ガラスとを有する複層ガラスを備える建具は、既によく知られている。このような建具には、縦框と上框が設けられており、この縦框と上框には、複層ガラスの周縁部を収容する縦框ガラス収容溝と上框ガラス収容溝が備えられている。
また、このような建具の中には、防火のため、当該縦框ガラス収容溝内及び上框ガラス収容溝内に、不燃性または難燃性の縦框補強部材及び上框補強部材が収容されているものがある。
【先行技術文献】
【特許文献】
【０００３】
【特許文献１】特開平７−８２８１９号公報
【発明の概要】
【発明が解決しようとする課題】
【０００４】
ところで、火災が起こって暫くすると、火災の熱により、複層ガラスの上端部において複層ガラスが反る事象が発生する。そして、従来は、この事象により、前記第一ガラスと上框補強部材が接触してしまい、接触点に応力が集中して第一ガラスに割れが生ずることとなっていた。そして、この割れが火の通過穴となって、第一ガラス側の部屋に出火してしまう事態となっていた。
【０００５】
本発明は、かかる課題に鑑みてなされたものであり、その目的とするところは、防火性能が高い建具を実現することにある。
【課題を解決するための手段】
【０００６】
かかる目的を達成するために本発明の建具は、第一ガラスと該第一ガラスよりも防火性能が高い第二ガラスとを有する複層ガラスと、縦框と、上框と、下框と、を有し、
前記縦框は、前記複層ガラスの周縁部を収容する縦框ガラス収容溝を備え、
前記縦框ガラス収容溝内に、不燃性または難燃性の縦框補強部材が設けられ、
前記上框は、前記複層ガラスの周縁部を収容する上框ガラス収容溝を備え、
前記上框ガラス収容溝内に、不燃性または難燃性の上框補強部材が設けられている建具であって、
前記上框補強部材は、
前記複層ガラスの上端より上方に位置する上方面を有し、かつ、
前記上方面から連続し前記複層ガラスの上下方向に沿う面に対向する対向面として、前記第二ガラスに対向する対向面を有する一方で、前記第一ガラスに対向する対向面を有さず、
前記縦框補強部材は、
前記複層ガラスの側端より側方に位置する側方面を有し、かつ、
前記側方面から連続し前記複層ガラスの左右方向に沿う面に対向する対向面として、前記第二ガラスに対向する対向面と、前記第一ガラスに対向する対向面と、
を有し、
前記下框は、前記複層ガラスの周縁部を収容する下框ガラス収容溝を備え、
前記下框ガラス収容溝内に、不燃性または難燃性の下框補強部材が設けられ、
前記下框補強部材は、
前記複層ガラスの下端より下方に位置する下方面を有し、かつ、
前記下方面から連続し前記複層ガラスの上下方向に沿う面に対向する対向面として、前記第二ガラスに対向する対向面と、前記第一ガラスに対向する対向面と、を有することを特徴とする建具である。
【０００７】
このような建具によれば、火災の熱により、複層ガラスの上端部において複層ガラスが反る事象が発生したとしても、第一ガラスが上框補強部材と接触することが回避され、第一ガラスに割れが生ずることはない。そのため、第一ガラス側の部屋への出火が適切に抑えられ、防火性能が高い建具を実現することが可能となる。また、上框補強部材の第一ガラスに対向する対向面がなくても、縦框補強部材が確実に複層ガラスを支持して複層ガラスの脱落が適切に抑えられる。
【０００９】
また、上框補強部材の第一ガラスに対向する対向面がなくても、下框補強部材が確実に複層ガラスを支持して複層ガラスの脱落が適切に抑えられる。
【００１０】
かかる建具であって、下框を有し、前記下框は、前記複層ガラスの周縁部を収容する下框ガラス収容溝を備え、
前記下框ガラス収容溝内に、不燃性または難燃性の下框補強部材が設けられ、
前記下框補強部材は、
前記複層ガラスの下端より下方に位置する下方面を有し、かつ、
前記下方面から連続し前記複層ガラスの上下方向に沿う面に対向する対向面として、前記第二ガラスに対向する対向面を有する一方で、前記第一ガラスに対向する対向面を有さないことが望ましい。
【００１１】
このような建具によれば、第一ガラスに割れが生ずることが確実に回避されることとなり、防火性能がより一層高い建具を実現することが可能となる。
【００１２】
かかる建具であって、前記縦框、前記上框、及び、前記下框は、樹脂製の部材、又は、室外側に配置されたアルミニウム製の部材と室内側に配置された樹脂製の部材とからなるアルミ樹脂複合の部材、であることが望ましい。
【００１３】
このような建具によれば、框が火災により溶融し易くなるため、火災の熱により、複層ガラスの上端部において複層ガラスが反る事象が発生しやすくなる。そのため、上框補強部材の第一ガラスに対向する対向面を設けないことによる上記作用が、より効果的なものとなる。
【００１４】
かかる建具であって、前記縦框ガラス収容溝内における前記縦框補強部材の内側と、前記上框ガラス収容溝内における前記上框補強部材の内側と、には、加熱発泡材が設けられていることが望ましい。
【００１５】
このような建具によれば、縦框補強部材や上框補強部材と複層ガラスとの間を火炎が通過することが適切に抑止されることとなる。
【発明の効果】
【００１６】
本発明によれば、防火性能が高い建具を実現することができる。
【図面の簡単な説明】
【００１７】
【図１】建具１の縦断面図である。
【図２】建具１の横断面図である。
【図３】扉２０の正面模式図である。
【図４】従来例に係る建具１の問題点を説明するための説明図である。
【図５】本実施の形態に係る建具１の優位性を説明するための説明図である。
【発明を実施するための形態】
【００１８】
＝＝＝本実施の形態に係る建具１について＝＝＝
以下、本発明の一実施形態に係る建具について図１乃至図３を参照して説明する。図１は、建具１の縦断面図である。図２は、建具１の横断面図である。図３は、扉２０の正面模式図である。
【００１９】
本実施形態の建具１は、図１、図２、図３に示すように、矩形状に枠組みされて開口を形成する枠体１０と、枠体１０に回動自在に支持されて開口を閉塞自在な扉２０とを備えている。
【００２０】
以下の説明においては、建具１が建物等に取り付けられた状態において、上下となる方向を上下方向、左右となる方向を左右方向、室内外方向である奥行き方向を見込み方向として示す。
【００２１】
本実施形態の建具１は、上下の横枠としての上枠１１及び下枠１２と左右の縦枠１３とが枠組みされた四方枠としての枠体１０と、一方の縦枠側にて回動自在に支持され、回動することにより枠体１０にて形成される開口を開閉可能な扉２０と、を有している。
【００２２】
上枠１１、下枠１２、左右の縦枠１３は、いずれも室外側に配置されてアルミニウム製の押出成形部材でなる外枠部１１ａ、外枠部１２ａ、外枠部１３ａと、外枠部１１ａ、外枠部１２ａ、外枠部１３ａの室内側に取り付けられる合成樹脂製の押出成形部材でなる内枠材１１ｂ、内枠材１２ｂ、内枠材１３ｂと、を有している。外枠部１１ａ、外枠部１２ａ、外枠部１３ａは、いずれも長手方向に貫通する枠中空部１１ｃ、枠中空部１２ｃ、枠中空部１３ｃを有している。
【００２３】
扉２０は、上下方向に沿って配置される戸先框及び吊り元框をなす一対の縦框２１の上端部と下端部とにて、当該一対の縦框２１間に上下一対の横框２２（すなわち、上框２４及び下框２５）が介在され、一対の縦框２１により一対の横框２２の小口が塞がれて矩形状に框組みされた框体２３と、框体２３に囲まれた領域を塞ぐように設けられた複層ガラス３とを有している。
【００２４】
一対の縦框２１及び上下の横框２２は、いずれも室外側に配置されてアルミニウム製の押出成形部材でなる外框部２１ａ、外框部２２ａと、外框部２１ａ、外框部２２ａの室内側に取り付けられる合成樹脂製の押出成形部材でなる内框材２１ｂ、内框材２２ｂと、を有している。つまり、一対の縦框２１及び上下の横框２２は、アルミ樹脂複合の部材となっている。
【００２５】
外框部２１ａ、外框部２２ａは、いずれも長手方向に貫通する框中空部２１ｃ、框中空部２２ｃを有している。また、内框材２１ｂ、内框材２２ｂも、長手方向に貫通する框中空部２１ｄ、框中空部２２ｄを有している。
【００２６】
さらに、外框部２１ａ、外框部２２ａと内框材２１ｂ、内框材２２ｂは、いずれも複層ガラス３の方へ延出した延出部を備えており、この延出部により、複層ガラス３の周縁部を収容するガラス収容溝３０（複層ガラス３を呑み込むガラス呑み込み溝、すなわち、所謂ガラス開口部）が構成されている。ガラス収容溝３０については、後に詳述する。
【００２７】
複層ガラス３は、１枚の網入りガラス４と遠赤外線の反射率が高くなるように表面に処理が施された１枚のＬｏｗ−Ｅガラス５（低放射板ガラス、フロートガラス）とが見込み方向において間隔を隔てて対面した構成を備えている。網入りガラス４は、網の作用により、Ｌｏｗ−Ｅガラス５よりも、防火性能が高く、剛性が高いガラスとなっている。そのため、網入りガラス４は第二ガラスに相当し、Ｌｏｗ−Ｅガラス５は第一ガラスに相当する。本実施の形態においては、網入りガラス４は室外側に設けられ、Ｌｏｗ−Ｅガラス５は室内側に設けられている。
【００２８】
また、複層ガラス３の見込み方向における両端部と上下方向における両端部には、内部に乾燥剤が封入されたスペーサー６が設けられ、このスペーサー６は、網入りガラス４とＬｏｗ−Ｅガラス５との間に介在されている（挟まれている）。そして、スペーサー６は、不図示のシールにより、網入りガラス４とＬｏｗ−Ｅガラス５の各々に接着されている。そして、複層ガラス３の、網入りガラス４とＬｏｗ−Ｅガラス５との間の部分は、密閉空間となっている。
【００２９】
＝＝＝本実施の形態に係るガラス収容溝３０について＝＝＝
ガラス収容溝３０は、縦框２１又は横框２２に設けられ、複層ガラス３の周縁部を収容する部分である。当該ガラス収容溝３０としては、縦框２１に設けられ、複層ガラス３の左右方向における両端部をそれぞ収容する一対の縦框ガラス収容溝（以下、単に、縦框収容溝３６と呼ぶ）と、下框２５に設けられ、複層ガラス３の上下方向における下端部を収容する下框ガラス収容溝（以下、単に、下框収容溝３４と呼ぶ）と、上框２４に設けられ、複層ガラス３の上下方向における上端部を収容する上框ガラス収容溝（以下、単に、上框収容溝３２と呼ぶ）が備えられている。縦框収容溝３６は、長尺な溝であり、その長手方向は、上下方向に沿っている。また、下框収容溝３４及び上框収容溝３２は、長尺な溝であり、その長手方向は、左右方向に沿っている。
【００３０】
縦框収容溝３６は、横断面において、コの字形状を有している。すなわち、縦框収容溝３６は、横断面において、見込み方向に沿い前述した框中空部２１ｃ及び框中空部２１ｄと隣り合う第一見込み方向部分３６ａと、第一見込み方向部分３６ａの両端から左右方向における内側へ延出した左右方向に沿った第一左右方向部分３６ｂ及び第二左右方向部分３６ｃと、第一左右方向部分３６ｂ及び第二左右方向部分３６ｃの各々の端からそれぞれ見込み方向における内側へ延出した見込み方向に沿った第二見込み方向部分３６ｄ及び第三見込み方向部分３６ｅと、を備えている。
【００３１】
第二見込み方向部分３６ｄと第三見込み方向部分３６ｅとの間には、開口が形成され、この開口に複層ガラス３の側端部が挿入されている。また、第二見込み方向部分３６ｄと複層ガラス３（具体的には、網入りガラス４）の間と第三見込み方向部分３６ｅと複層ガラス３（具体的には、Ｌｏｗ−Ｅガラス５）の間には、ガスケット３８が介在され、このことにより、複層ガラス３が縦框収容溝３６に支持されている。
【００３２】
なお、第一見込み方向部分３６ａの室外側はアルミニウム製、室内側は合成樹脂製となっている。また、第一左右方向部分３６ｂ及び第二見込み方向部分３６ｄはアルミニウム製、第二左右方向部分３６ｃ及び第三見込み方向部分３６ｅは合成樹脂製となっている。
【００３３】
縦框収容溝３６内には、不燃性または難燃性の縦框補強部材３７が収容されている。この縦框補強部材３７は、火災により、アルミニウム製又は合成樹脂製の縦框収容溝３６が溶融したとしても、複層ガラス３が脱落しないようにする機能を備えている。縦框補強部材３７は、縦框収容溝３６の長手方向における一端部から他端部に亘って設けられている。
【００３４】
縦框補強部材３７は、横断面においてコの字形状を有するステンレス又は鋼製の部材である。すなわち、縦框補強部材３７は、複層ガラス３の側端３ａの側方に位置し面外方向が左右方向に沿った側方面３７ａを有している。さらに、縦框補強部材３７は、側方面３７ａから複層ガラス３に対向するように折り曲げられた対向面である折り曲げ面として、網入りガラス４に対向するように折り曲げられた対向面である折り曲げ面（縦框第一折り曲げ面３７ｂと呼ぶ）と、Ｌｏｗ−Ｅガラス５に対向するように折り曲げられた対向面である折り曲げ面（縦框第二折り曲げ面３７ｃと呼ぶ）と、を有している。換言すれば、縦框補強部材３７は、側方面３７ａから連続し複層ガラス３の左右方向に沿う面に対向する対向面として、網入りガラス４に対向する前記対向面とＬｏｗ−Ｅガラス５に対向する前記対向面とを、有している。
【００３５】
すなわち、側方面３７ａは、横断面において見込み方向に沿った状態で、側端３ａと第一見込み方向部分３６ａとの間に位置している。また、縦框第一折り曲げ面３７ｂは、横断面において左右方向に沿った状態で、網入りガラス４と第一左右方向部分３６ｂとの間に位置している。また、縦框第二折り曲げ面３７ｃは、横断面において左右方向に沿った状態で、Ｌｏｗ−Ｅガラス５と第二左右方向部分３６ｃとの間に位置している。
【００３６】
なお、網入りガラス４と第一左右方向部分３６ｂは、縦框補強部材３７と複層ガラス３が共に縦框収容溝３６内の狭い空間に収容されているため、非常に近接している（通常時（非火災時）においては、接触していない）。また、Ｌｏｗ−Ｅガラス５と第二左右方向部分３６ｃも同様の理由で非常に近接している。
【００３７】
また、縦框収容溝３６内には、加熱発泡材７０が設けられている。この加熱発泡材７０は、火災の際に火炎に晒されると膨張して、その体積が大きくなる。そして、このことにより、隙間を埋め、火炎の通り道を塞ぐことができる。この加熱発泡材７０は、縦框収容溝３６内において、見込み方向における室内側かつ左右方向における外側（枠体側）に備えられている。加熱発泡材７０は、縦框収容溝３６内における縦框補強部材３７の内側に設けられている。そのため、縦框補強部材３７と複層ガラス３との間を火炎が通過することが適切に抑止されることとなる。
【００３８】
下框収容溝３４は、縦断面において、コの字形状を有している。すなわち、下框収容溝３４は、縦断面において、見込み方向に沿い前述した框中空部２２ｃ及び框中空部２２ｄと隣り合う第一見込み方向部分３４ａと、第一見込み方向部分３４ａの両端から上下方向における上側へ延出した上下方向に沿った第一上下方向部分３４ｂ及び第二上下方向部分３４ｃと、第一上下方向部分３４ｂ及び第二上下方向部分３４ｃの各々の端からそれぞれ見込み方向における内側へ延出した見込み方向に沿った第二見込み方向部分３４ｄ及び第三見込み方向部分３４ｅと、を備えている。
【００３９】
第二見込み方向部分３４ｄと第三見込み方向部分３４ｅとの間には、開口が形成され、この開口に複層ガラス３の下端部が挿入されている。また、第二見込み方向部分３４ｄと複層ガラス３（具体的には、網入りガラス４）の間と第三見込み方向部分３４ｅと複層ガラス３（具体的には、Ｌｏｗ−Ｅガラス５）の間には、ガスケット３８が介在され、このことにより、複層ガラス３が下框収容溝３４に支持されている。
【００４０】
なお、第一見込み方向部分３４ａの室外側はアルミニウム製、室内側は合成樹脂製となっている。また、第一上下方向部分３４ｂ及び第二見込み方向部分３４ｄはアルミニウム製、第二上下方向部分３４ｃ及び第三見込み方向部分３４ｅは合成樹脂製となっている。
【００４１】
下框収容溝３４内には、不燃性または難燃性の下框補強部材３５が収容されている。この下框補強部材３５は、火災により、アルミニウム製又は合成樹脂製の下框収容溝３４が溶融したとしても、複層ガラス３が脱落しないようにする機能を備えている。下框補強部材３５は、下框収容溝３４の長手方向における一端部から他端部に亘って設けられている。
【００４２】
下框補強部材３５は、縦断面においてコの字形状を有するステンレス又は鋼製の部材である。すなわち、下框補強部材３５は、複層ガラス３の下端３ｂの下方に位置し面外方向が上下方向に沿った下方面３５ａを有している。さらに、下框補強部材３５は、下方面３５ａから複層ガラス３に対向するように折り曲げられた対向面である折り曲げ面として、網入りガラス４に対向するように折り曲げられた対向面である折り曲げ面（下框第一折り曲げ面３５ｂと呼ぶ）と、Ｌｏｗ−Ｅガラス５に対向するように折り曲げられた対向面である折り曲げ面（下框第二折り曲げ面３５ｃと呼ぶ）と、を有している。換言すれば、下框補強部材３５は、下方面３５ａから連続し複層ガラス３の上下方向に沿う面に対向する対向面として、網入りガラス４に対向する前記対向面とＬｏｗ−Ｅガラス５に対向する前記対向面とを、有している。
【００４３】
すなわち、下方面３５ａは、縦断面において見込み方向に沿った状態で、下端３ｂと第一見込み方向部分３４ａとの間に位置している。また、下框第一折り曲げ面３５ｂは、縦断面において上下方向に沿った状態で、網入りガラス４と第一上下方向部分３４ｂとの間に位置している。また、下框第二折り曲げ面３５ｃは、縦断面において上下方向に沿った状態で、Ｌｏｗ−Ｅガラス５と第二上下方向部分３４ｃとの間に位置している。
【００４４】
なお、網入りガラス４と第一上下方向部分３４ｂは、下框補強部材３５と複層ガラス３が共に下框収容溝３４内の狭い空間に収容されているため、非常に近接している（通常時（非火災時）においては、接触していない）。また、Ｌｏｗ−Ｅガラス５と第二上下方向部分３４ｃも同様の理由で非常に近接している。
【００４５】
また、下框収容溝３４内には、前述した加熱発泡材７０が設けられている。この加熱発泡材７０は、下框収容溝３４内において、上下方向における下側（枠体側）に２箇所（見込み方向における室内側と室外側）備えられている。加熱発泡材７０は、下框収容溝３４内における下框補強部材３５の内側に設けられている。そのため、下框補強部材３５と複層ガラス３との間を火炎が通過することが適切に抑止されることとなる。
【００４６】
上框収容溝３２も、下框収容溝３４と同様、縦断面において、コの字形状を有している。すなわち、上框収容溝３２は、縦断面において、見込み方向に沿い前述した框中空部２２ｃ及び框中空部２２ｄと隣り合う第一見込み方向部分３２ａと、第一見込み方向部分３２ａの両端から上下方向における下側へ延出した上下方向に沿った第一上下方向部分３２ｂ及び第二上下方向部分３２ｃと、第一上下方向部分３２ｂ及び第二上下方向部分３２ｃの各々の端からそれぞれ見込み方向における内側へ延出した見込み方向に沿った第二見込み方向部分３２ｄ及び第三見込み方向部分３２ｅと、を備えている。
【００４７】
第二見込み方向部分３２ｄと第三見込み方向部分３２ｅとの間には、開口が形成され、この開口に複層ガラス３の上端部が挿入されている。また、第二見込み方向部分３２ｄと複層ガラス３（具体的には、網入りガラス４）の間と第三見込み方向部分３２ｅと複層ガラス３（具体的には、Ｌｏｗ−Ｅガラス５）の間には、ガスケット３８が介在され、このことにより、複層ガラス３が上框収容溝３２に支持されている。
【００４８】
なお、第一見込み方向部分３２ａの室外側はアルミニウム製、室内側は合成樹脂製となっている。また、第一上下方向部分３２ｂ及び第二見込み方向部分３２ｄはアルミニウム製、第二上下方向部分３２ｃ及び第三見込み方向部分３２ｅは合成樹脂製となっている。
【００４９】
上框収容溝３２内には、不燃性または難燃性の上框補強部材３３が収容されている。この上框補強部材３３は、火災により、アルミニウム製又は合成樹脂製の上框収容溝３２が溶融したとしても、複層ガラス３が脱落しないようにする機能を備えている。上框補強部材３３は、上框収容溝３２の長手方向における一端部から他端部に亘って設けられている。
【００５０】
上框補強部材３３は、縦框補強部材３７や下框補強部材３５と同様、ステンレス又は鋼製の部材であるが、縦框補強部材３７や下框補強部材３５とは異なり、縦断面においてコの字形状ではなくＬ字形状を有している。すなわち、上框補強部材３３は、複層ガラス３の上端３ｃの上方に位置し面外方向が上下方向に沿った上方面３３ａを有している。さらに、上框補強部材３３は、上方面３３ａから複層ガラス３に対向するように折り曲げられた対向面である折り曲げ面として、網入りガラス４に対向するように折り曲げられた対向面である折り曲げ面（上框折り曲げ面３３ｂと呼ぶ）を有する一方で、Ｌｏｗ−Ｅガラス５に対向するように折り曲げられた対向面である折り曲げ面を有さない。換言すれば、上框補強部材３３は、上方面３３ａから連続し複層ガラス３の上下方向に沿う面に対向する対向面として、網入りガラス４に対向する前記対向面を有する一方でＬｏｗ−Ｅガラス５に対向する前記対向面を有さない。
【００５１】
すなわち、上方面３３ａは、縦断面において見込み方向に沿った状態で、上端３ｃと第一見込み方向部分３２ａとの間に位置している。また、上框折り曲げ面３３ｂは、縦断面において上下方向に沿った状態で、網入りガラス４と第一上下方向部分３２ｂとの間に位置している。一方で、縦断面において上下方向に沿った状態で、Ｌｏｗ−Ｅガラス５と第二上下方向部分３２ｃとの間に位置する、下框第二折り曲げ面３５ｃに相当する部分は設けられていない。
【００５２】
このように、上框補強部材３３をＬ字形状にした理由について、図４及び図５を用いて説明する。図４は、従来例に係る建具１の問題点を説明するための説明図である。図５は、本実施の形態に係る建具１の優位性を説明するための説明図である。
【００５３】
従来は、上框補強部材３３も、縦框補強部材３７や下框補強部材３５と同様、コの字形状を有していた。つまり、前述した下框第二折り曲げ面３５ｃに相当する部分（上框第二折り曲げ面と呼ぶ）が設けられていた。しかしながら、かかる従来例においては、室外側で火災が起こった際（つまり、外加熱の際）に、以下の不都合が生じていた。すなわち、火災が起こって暫くすると、図４に示すように、火災の熱により、複層ガラス３の上端部において複層ガラス３が室内側へ反る事象が発生していた。そして、複層ガラス３のＬｏｗ−Ｅガラス５と上框補強部材３３の上框第二折り曲げ面とが狭い空間内で近接しているため、当該事象により、Ｌｏｗ−Ｅガラス５と上框第二折り曲げ面が接触してしまい、接触点に応力が集中してＬｏｗ−Ｅガラス５に割れが生ずることとなっていた。そして、この割れが火の通過穴となって、室内側（Ｌｏｗ−Ｅガラス５側の部屋）に出火してしまう事態となっていた。
【００５４】
特に、前述したシールが可燃性であるため、スペーサー６周りに火が回りやすく、この火が前記割れ（通過穴）を通過して室内側に出火しやすくなっていた。
【００５５】
そのため、本実施の形態においては、前述したとおり、上框補強部材３３をＬ字形状とし、下框第二折り曲げ面３５ｃに相当する部分（上框第二折り曲げ面）を設けないこととした。したがって、図５に示すように、火災の熱により、複層ガラス３の上端部において複層ガラス３が室内側へ反る事象が発生したとしても、Ｌｏｗ−Ｅガラス５が上框補強部材３３と接触することが回避され、Ｌｏｗ−Ｅガラス５に割れが生ずることはない。そのため、室内側（Ｌｏｗ−Ｅガラス５側の部屋）への出火が適切に抑えられることとなる。
【００５６】
なお、網入りガラス４は、Ｌｏｗ−Ｅガラス５よりも、防火性能が高いため、割れにくい性質を有する。そのため、複層ガラス３に室外側への反りが生じて網入りガラス４と上框補強部材３３（上框折り曲げ面３３ｂ）とが例え接触したとしても、網入りガラス４に割れが生ずることはない。そのため、上框折り曲げ面３３ｂを設けないようにする必要はない。
【００５７】
また、前述したとおり、一対の縦框補強部材３７は、Ｌ字形状ではなく、コの字形状を有している。そのため、火災によりアルミニウム製又は合成樹脂製の収容溝が溶融した際に、上框補強部材３３のＬｏｗ−Ｅガラス５に対向するように折り曲げられた折り曲げ面がなくても、縦框補強部材３７が確実に複層ガラス３を支持して複層ガラス３の脱落が適切に抑えられる。
【００５８】
なお、上框収容溝３２内には、前述した加熱発泡材７０が設けられている。この加熱発泡材７０は、上框収容溝３２内において、上下方向における上側（枠体側）に２箇所（見込み方向における室内側と室外側）と、見込み方向における室外側であって上框折り曲げ面３３ｂと第一上下方向部分３２ｂとの間に１箇所備えられている。上下方向における上側の加熱発泡材７０は、上框収容溝３２内における上框補強部材３３の内側に設けられている。そのため、上框補強部材３３と複層ガラス３との間を火炎が通過することが適切に抑止されることとなる。
【００５９】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００６０】
上記実施の形態においては、第一ガラスとしてＬｏｗ−Ｅガラス５を例に挙げ、該第一ガラスよりも防火性能が高い第二ガラスとして網入りガラス４を例に挙げたが、これらに限定されるものではない。
【００６１】
また、上記実施の形態においては、縦框２１、上框２４、及び、下框２５は、室外側に配置されたアルミニウム製の部材と室内側に配置された樹脂製の部材とからなるアルミ樹脂複合の部材であることとしたが、これに限定されるものではなく、例えば、樹脂製の部材であることとしてもよい。
【００６２】
また、上記実施の形態（以下、第一実施形態と呼ぶ）において、下框補強部材３５は、コの字形状を有することとしたが、これに限定されるものではなく、Ｌ字形状であってもよい。すなわち、下框補強部材３５は、複層ガラス３の下端３ｂの下方に位置し面外方向が上下方向に沿った下方面３５ａを有し、かつ、下方面３５ａから複層ガラス３に対向するように折り曲げられた折り曲げ面として、網入りガラス４に対向するように折り曲げられた折り曲げ面（下框第一折り曲げ面３５ｂ）を有する一方で、Ｌｏｗ−Ｅガラス５に対向するように折り曲げられた折り曲げ面を有さないこととしてもよい（かかるケースを、第二実施形態と呼ぶ）。
【００６３】
上記において、火災の熱により、複層ガラス３の上端部において複層ガラス３が室内側へ反る事象が発生することについて述べたが、この事象は、複層ガラス３の下端部においても起こり得る。しかしながら、熱の特性（熱い空気は上昇し易い特性）により、下端部における反りは、それほど顕著ではなく、前述した割れがＬｏｗ−Ｅガラス５に生じる可能性はかなり低い。
【００６４】
しかしながら、第二実施形態のようにすれば、Ｌｏｗ−Ｅガラス５に割れが生ずることが確実に回避されることとなり、防火性能がより一層高い建具１を実現することが可能となる。一方で、第一実施形態においては、コの字形状の下框補強部材３５が確実に複層ガラス３を支持することができるため、複層ガラス３の脱落が適切に抑えられる。
【符号の説明】
【００６５】
１  建具
３  複層ガラス、４  網入りガラス、５  Ｌｏｗ−Ｅガラス、６  スペーサー
２０  扉
２１  縦框、２２  横框、２４  上框、２５  下框
３０  ガラス収容溝
３２  上框収容溝
３３  上框補強部材
３３ａ  上方面、３３ｂ  上框折り曲げ面
３４  下框収容溝
３５  下框補強部材
３５ａ  下方面、３５ｂ  下框第一折り曲げ面、３５ｃ  下框第二折り曲げ面
３６  縦框収容溝
３７  縦框補強部材
３７ａ  側方面、３７ｂ  縦框第一折り曲げ面、３７ｃ  縦框第二折り曲げ面
【図１】
0006415886.tif 000002
【図２】
0006415886.tif 000003
【図３】
0006415886.tif 000004
【図４】
0006415886.tif 000005
【図５】
0006415886.tif 000006